(57)【要約】【課題】高い省エネルギー化を実現することを可能にする。【解決手段】空調システム１０は、熱源機１１と空調機１３と複数台のポンプ１２と制御装置３０とを備える。熱源機１１は熱媒体の温度を調節し、空調機１３は熱媒体が供給され対象空間の空調を行う。ポンプ１２は、空調機１３に熱媒体を供給する。制御装置３０は、対象空間の熱負荷に応じて、複数台のポンプ１２から選択したポンプ１２の回転数をインバータにより調節する。熱媒体が通る流路２１、２２、２３のうち熱源機１１と複数台のポンプ１２との間の流路２１は、複数台のポンプ１２が共用する共通路２１３を備える。制御装置３０は、複数台のポンプ１２から選択した２台以上を同じ回転数で稼働させる。【選択図】図１
2017053507.tif 000002
【特許請求の範囲】
【請求項１】
熱媒体の温度を調節する熱源機と、
前記熱媒体が供給され対象空間の空調を行う空調機と、
前記空調機に熱媒体を供給する複数台のポンプと、
前記対象空間の熱負荷に応じて前記複数台のポンプから選択したポンプの回転数をインバータにより調節する制御装置とを備え、
前記熱媒体が通る流路のうち前記熱源機と前記複数台のポンプとの間の流路は、前記複数台のポンプが共用する共通路を備え、
前記制御装置は、
前記複数台のポンプから選択した２台以上を同じ回転数で稼働させる
ことを特徴とする空調システム。
【請求項２】
前記熱源機は、前記熱媒体を通す流量に最低流量が決まっており、
前記制御装置は、
前記対象空間の熱負荷に応じて決まる前記熱媒体の流量と、前記熱源機の流量の前記下限値とのうちの大きいほうの流量を選択し、前記複数台のポンプが供給する熱媒体の合計の流量が、選択した流量となるように、前記複数台のポンプの回転数を調整する
請求項１記載の空調システム。
【請求項３】
前記空調機に供給される熱媒体の圧力と前記空調機から排出される熱媒体の圧力との圧力差を計測する圧力計をさらに備え、
前記制御装置は、
前記圧力計が計測した圧力差と前記対象空間の熱負荷に基づいて定まる目標値との偏差を小さくするように、前記ポンプの回転数を調節する
請求項２記載の空調システム。
【請求項４】
前記空調機を通る前記熱媒体の流量を計測する流量計をさらに備え、
前記制御装置は、
前記流量計が計測した前記熱媒体の流量から前記目標値を求める機能を有する
請求項３記載の空調システム。
【請求項５】
前記熱源機が複数台あり、
前記制御装置は、
前記対象空間の熱負荷の変化により運転させる熱源機の台数を変更する際に、変更後の熱源機の台数に基づいて前記最低流量の合計を求め、前記複数台のポンプから選択したポンプの回転数を前記最低流量の合計に応じて決める機能を有する
請求項１〜４のいずれか１項に記載の空調システム。
【請求項６】
請求項１〜５のいずれか１項に記載の空調システムに用いる制御装置であって、
前記複数台のポンプのうち稼働させるポンプを決める第１管理部と、
前記複数台のポンプの回転数を決める第２管理部とを備える
ことを特徴とする空調システムに用いる制御装置。
【請求項７】
コンピュータを、請求項６に記載の空調システムに用いる制御装置として機能させるためのプログラム。
【発明の詳細な説明】
【技術分野】
【０００１】
本発明は、熱源機を備える空調システム、空調システムに用いる制御装置、プログラムに関する。
【背景技術】
【０００２】
従来、熱源機からの熱媒体（熱源水）を空調機（外部負荷）に供給するシステムが提案されている（たとえば、特許文献１参照）。特許文献１には、回転数が調整可能なポンプと、定格回転数で運転されるポンプとを並列に接続したシステムが記載されている。
【先行技術文献】
【特許文献】
【０００３】
【特許文献１】特開２０１１−２１４４４２号公報
【発明の概要】
【発明が解決しようとする課題】
【０００４】
特許文献１に記載された技術は、複数台のポンプを並列に用いているが、複数台のポンプには定格回転数のポンプが含まれており、省エネルギーが十分に実現されていない。
【０００５】
本発明は、高い省エネルギー化の実現を可能にした空調システムを提供することを目的とする。また、本発明は、この空調システムに用いる制御装置、コンピュータをこの制御装置として機能させるためのプログラムを提供することを目的とする。
【課題を解決するための手段】
【０００６】
本発明に係る空調システムは、熱媒体の温度を調節する熱源機と、前記熱媒体が供給され対象空間の空調を行う空調機と、前記空調機に熱媒体を供給する複数台のポンプと、
前記対象空間の熱負荷に応じて前記複数台のポンプから選択したポンプの回転数をインバータにより調節する制御装置とを備え、前記熱媒体が通る流路のうち前記熱源機と前記複数台のポンプとの間の流路は、前記複数台のポンプが共用する共通路を備え、前記制御装置は、前記複数台のポンプから選択した２台以上を同じ回転数で稼働させることを特徴とする。
【０００７】
本発明に係る空調システムに用いる制御装置は、上述した空調システムに用いる制御装置であって、前記複数台のポンプのうち稼働させるポンプを決める第１管理部と、前記複数台のポンプの回転数を決める第２管理部とを備えることを特徴とする。
【０００８】
本発明に係るプログラムは、コンピュータを、上述した空調システムに用いる制御装置として機能させるためのものである。なお、このプログラムを記録したコンピュータで読取可能な記録媒体を提供してもよい。
【発明の効果】
【０００９】
本発明の構成によれば、高い省エネルギー化の実現を可能にするという利点を有する。
【図面の簡単な説明】
【００１０】
【図１】実施形態１を示す概略構成図である。
【図２】実施形態１に用いる制御装置を示すブロック図である。
【図３】比較例の空調システムの一部を示す図である。
【図４】実施形態１における流量と圧力差との関係を示す図である。
【図５】実施形態１における熱負荷と熱源機の台数との関係を示す図である。
【図６】実施形態１における制御例を示す図である。
【図７】実施形態２の空調システムの一部を示す概略構成図である。
【発明を実施するための形態】
【００１１】
（実施形態１）
以下に説明する空調システム１０は、図１に示すように、熱源機１１とポンプ１２と空調機１３とを備える。この空調システム１０は、オフィスビルのように総床面積が比較的大きい建物で使用することを想定している。建物は、オフィスビルのほか、ファッションビル、商業施設、病院、ホテル、学校、美術館、博物館などであってもよい。
【００１２】
熱源機１１は、吸収冷温水機、ヒートポンプ式熱源機などから選択され、水のような熱媒体（冷温水、または熱媒水ということがある）の温度を調節する。冷房時には熱媒体の温度を下げ、暖房時には熱媒体の温度を上げる。たとえば、冷房時の熱源機１１は冷凍機などであり、暖房時の熱源機１１はボイラなどである。熱源機１１は少なくとも１台あればよいが、実施形態の空調システム１０は、複数台（Ｎ台）の熱源機１１を備える。
【００１３】
ポンプ１２は、回転式の電動ポンプであって、ポンプ１２の流量は回転数（つまり、回転速度）に比例する。ポンプ１２の動力源は、誘導電動機のような電動機であり、インバータ１２１（図２参照）を用いて回転数が制御される。この種のポンプ１２の消費電力は、流量の３乗に比例することが知られている。本実施形態の空調システム１０は、複数台（Ｍ台）のポンプ１２を備える。ポンプ１２は熱源機１１より１台多く設ける場合が多い。つまり、Ｍ＝Ｎ＋１の関係であることが多い。ただし、この関係に限定されるわけではない。
【００１４】
空調機１３は、熱源機１１で温度が調節された熱媒体を受け取り、熱媒体の熱を用いて対象空間の空調を行う。空調機１３は、ファンコイルユニットのように空調を行う対象空間に配置される装置と、エアハンドリングユニットのように対象空間とは別の場所に配置され調和空気をダクトで対象空間に運ぶ装置とが知られている。本実施形態では、空調機１３の種類は問わない。図１には空調機１３を２台だけ示しているが、建物の規模などに応じて適宜台数の空調機１３が配置される。また、本実施形態の空調機１３には、使用者の要求に応じた対象空間が要求する熱負荷に応じて、流量が調節される流量調節弁１３１が付設される。この流量調節弁１３１の開度は、対象空間の温度が設定温度に一致するように調整される。
【００１５】
熱源機１１とポンプ１２との間には流路２１が設けられる。流路２１は、ポンプ１２で加圧された熱媒体を熱源機１１の入口に送る。流路２１は、複数台の熱源機１１の入口にそれぞれ接続された複数の個別路２１１と、複数台のポンプ１２の出口にそれぞれ接続された複数の個別路２１２と、共通路２１３とを備える。共通路２１３は、複数の個別路２１１を相互に接続し、また複数の個別路２１２を相互に接続する。すなわち、複数台の熱源機１１の入口が共通路２１３を通して相互に連続し、複数台のポンプ１２の出口が共通路２１３を通して相互に連続する。言い換えると、複数台のポンプ１２は、流路２１を共用する。
【００１６】
図１に示す例では、共通路２１３の軸線が、複数の個別路２１１および複数の個別路２１２の軸線に対して交差する構成であって、熱媒体の流れの向きが共通路２１３において変化するように流路２１が形成されている。すなわち、共通路２１３は、個別路２１１に対して入口ヘッダを構成し、個別路２１２に対して出口ヘッダを構成する。
【００１７】
熱源機１１と空調機１３との間には流路２２が設けられる。流路２２は、熱源機１１の出口から空調機１３の入口に熱媒体を供給する。すなわち、ポンプ１２で加圧された熱媒体は、流路２１を通って熱源機１１に供給され、熱源機１１で温度が調節された後に流路２２を通って空調機１３に供給される。複数台の空調機１３が存在する場合、流路２２が複数の系統に分岐し、分岐した系統それぞれに空調機１３が接続される。
【００１８】
空調機１３の出口とポンプ１２の入口との間には流路２３が設けられる。流路２３は、空調機１３からポンプ１２に熱媒体を帰還させる。この流路２３は、複数の個別路２３１と、共通路２３２とを備える。複数台の空調機１３が存在する場合、流路２３は流路２２と同様に複数系統に分岐し、分岐した系統それぞれに空調機１３が接続される。複数の個別路２３１は、複数台のポンプ１２の入口にそれぞれ接続され、共通路２３２は、複数の個別路２３１を相互に接続する。すなわち、複数台のポンプ１２の入口が共通路２３２を通して相互に連続し、複数台のポンプ１２が流路２３を共用する。
【００１９】
上述した構成から明らかなように、流路２１と流路２２と流路２３とは、熱源機１１とポンプ１２と空調機１３との間で熱媒体を循環させる経路を形成する。ポンプ１２で加圧された熱媒体は流路２１を通して熱源機１１に送られ、熱源機１１で温度が調節された熱媒体は、流路２２を通して空調機１３に供給される。対象空間に熱を供給した後の熱媒体は、流路２３を通してポンプ１２に帰還する。
【００２０】
図１に示す例では、共通路２３２の軸線が、複数の個別路２３１の軸線に対して交差する構成であって、熱媒体の流れの向きが共通路２３２において変化するように流路２３が形成されている。共通路２３２は、個別路２３１に対して入口ヘッダを構成する。
【００２１】
ところで、対象空間の冷房を行う場合、熱源機１１で冷却された熱媒体が空調機１３に供給され、熱媒体の冷熱が対象空間に冷気として放出される。このとき、熱媒体から冷熱が放出され、熱媒体の温度が上昇する。熱媒体は、空調機１３からポンプ１２を通して熱源機１１に戻され再び冷却される。このように、熱媒体は、熱源機１１、ポンプ１２、空調機１３の間で循環し、対象空間の冷房を行うことが可能になる。対象空間を暖房する際には、熱源機１１で熱媒体を加熱する点が異なるが、基本的な動作は、対象空間を冷房する場合と同様である。
【００２２】
図１に示す空調システム１０は、対象空間の熱負荷に応じた熱量を空調機１３から対象空間に供給するために、可変流量制御（ＶＷＶ：Variable Water Volume）を行っている。空調システム１０は、流路２２と流路２３との間にバイパス路２４を備え、バイパス路２４にバイパス弁１４を備える。
【００２３】
バイパス弁１４は、空調機１３が要求する熱媒体の流量が熱源機１１の最小流量より小さいときに、開度を調節することによって空調機１３への熱媒体の流量を調節する。つまり、空調機１３の要求する流量ａが熱源機１１の最小流量ｂより小さいときに、バイパス弁１４の両側の圧力差が大きくなり、バイパス弁１４が動作し、流量の差（ｂ−ａ）を吸収する。
【００２４】
バイパス弁１４は、通常時は閉じており、稼働させるポンプ１２の台数を変更した場合に、熱媒体の流量バランスが安定するまで開度が調節される。稼働させるポンプ１２の台数を変更した場合には、稼働させるポンプ１２の台数が増加する場合と稼働させるポンプ１２の台数が減少する場合とを含む。熱媒体の流量バランスが安定した状態とは、熱源機１１とポンプ１２と空調機１３とが、それぞれの合計流量が等しい状態を意味する。
【００２５】
ここに、熱量は、温熱を供給する場合は温熱の量を表し、冷熱を供給する場合は冷熱の量を表す。バイパス弁１４を開くと、バイパス弁１４が閉じている場合に比べて、空調機１３に供給される熱媒体の流量が低減し、結果的に空調機１３に供給される熱量が低減する。
【００２６】
流路２３において、バイパス路２４への分岐点と空調機１３との間には流量計１５が配置される。流量計１５は、空調機１３を通る熱媒体の流量を監視できればよい。したがって、流量計１５を配置する部位は、空調機１３の下流側ではなく熱源機１１の下流側であってもよい。また、空調機１３に供給される熱媒体の温度を監視する温度センサ１７と、空調機１３から排出された熱媒体の温度を監視する温度センサ１８とが設けられる。
【００２７】
流路２２と流路２３との間には、バイパス弁１４の両側の圧力差を計測する圧力計１６が配置される。流路２２には送水ヘッダ２２４が設けられ、流路２３には回水ヘッダ２３４が設けられている。バイパス弁１４は、送水ヘッダ２２４と回水ヘッダ２３４との間に接続され、圧力計１６は送水ヘッダ２２４と回水ヘッダ２３４とにおける熱媒体の圧力差を監視する。
【００２８】
図１に示す構成例では、空調機１３に供給する熱媒体の温度を計測する温度センサ１７は、送水ヘッダ２２４に配置され、空調機１３から回収した熱媒体の温度を計測する温度センサ１８は、個々の流量調節弁１３１に配置されている。温度センサ１８は、回水ヘッダ２３４に配置されていてもよい。空調機１３から対象空間に供給した単位時間当たりの熱量は、熱の損失を無視すると、流量計１５が計測した熱媒体の流量と、温度センサ１７および温度センサ１８が計測した温度の差との積に相当する。したがって、流量計１５の計測値と温度センサ１７、１８の計測値とを用いることによって、対象空間の熱負荷を見積もることができる。なお、図１に示す例では、流量計１５が回水ヘッダ２３４とポンプ１２との間に配置されているが、流量計１５は空調機１３と回水ヘッダ２３４との間に配置されていてもよい。
【００２９】
熱源機１１とポンプ１２とバイパス弁１４との動作は、図２のように、制御装置３０が制御する。制御装置３０は、取得部３１と計算部３２と管理部３３と出力部３４とを備える。対象空間における熱負荷は、季節により変動する。また、対象空間に存在する人数、対象空間への日射強度、対象空間の断熱性能などの様々な因子によって、対象空間における熱負荷は変動する。したがって、制御装置３０は、対象空間が要求する熱負荷を見積もり、熱負荷に応じて熱源機１１、ポンプ１２、バイパス弁１４を制御する。
【００３０】
制御装置３０は、プログラムを実行するプロセッサを備えるコンピュータを主なハードウェア構成として備える。プロセッサとしては、メモリを別に設けるＣＰＵ（Central Processing Unit）、あるいはメモリと一体に構成したマイコン（Microcontroller）などのデバイスが用いられる。プログラムは、ＲＯＭ（Read Only Memory）に書き込んだ状態で提供されるか、あるいは書換可能な不揮発性のメモリに書き込むために、光ディスク、メモリカードなどのコンピュータで読取可能な記録媒体に記録された状態で提供される。
【００３１】
取得部３１は、流量計１５、圧力計１６、および温度センサ１７、１８それぞれの計測値を取得するように構成される。計算部３２は、取得部３１が取得した計測値を用いて対象空間の熱負荷を見積もる計算を行う。管理部３３は、計算部３２の計算結果を用いて、熱源機１１とポンプ１２とバイパス弁１４との動作内容を決めるように構成される。出力部３４は、熱源機１１とポンプ１２とバイパス弁１４とのそれぞれを接続するように構成され、管理部３３が決めた動作内容を、熱源機１１とポンプ１２とバイパス弁１４とのそれぞれに指示する。すなわち、制御装置３０は、流量計１５、圧力計１６、および温度センサ１７、１８の計測値に基づいて、運転する熱源機１１の台数および稼働させるポンプ１２の台数を決定し、ポンプ１２の回転数およびバイパス弁１４の開度を制御する。
【００３２】
取得部３１は、所定の時間間隔で、流量計１５、圧力計１６、および温度センサ１７、１８それぞれの計測値を取得する。この時間間隔は、流量計１５、圧力計１６、および温度センサ１７、１８それぞれについて、同じでも異なっていてもよい。対象空間の温度の変化率を考慮すれば、この時間間隔は、適宜に定めることができるが、たとえば３０秒以上１分以下が望ましい。
【００３３】
計算部３２は、流量計１５が計測した熱媒体の流量と、温度センサ１７、１８が計測した熱媒体の温度とを用いて対象空間の熱負荷を見積もる。空調機１３から対象空間に単位時間に供給された熱量の目安は、空調機１３に供給した熱媒体の温度と空調機１３から排出された熱媒体の温度との温度差と、空調機１３を通過した熱媒体の流量との積で見積もることができる。また、計算部３２は、空調機１３を通過した熱媒体の流量を、圧力計１６が計測している箇所の圧力差に換算する機能も備える。
【００３４】
管理部３３は、複数台の熱源機１１それぞれの運転または停止を決める第１管理部３３１と、複数台のポンプ１２それぞれの運転または停止を決め、かつ運転するポンプ１２の回転数を決める第２管理部３３２とを備える。さらに、管理部３３は、バイパス弁１４の開度を決める第３管理部３３３を備える。
【００３５】
出力部３４は、複数台の熱源機１１それぞれに動作を指示する第１出力部３４１と、複数台のポンプ１２それぞれに動作を指示する第２出力部３４２と、バイパス弁１４に動作を指示する第３出力部３４３とを備える。第２出力部３４２は、インバータ１２１に対してポンプ１２の回転数を指示することにより、ポンプ１２の回転数を制御する。インバータ１２１にポンプ１２の回転数を指示することは、インバータ１２１に出力周波数を指示することと等価である。
【００３６】
なお、本実施形態では、ポンプ１２が熱源機１１の入口側に設けられ、かつ熱媒体が循環する経路の１箇所にポンプ１２が設けられている構成（いわゆる、単独運転）を例示した。ただし、熱媒体が循環する経路のうち熱源機１１から空調機１３への流路２３（往路）にポンプを設ける構成を採用することが可能である。
【００３７】
以下に、本実施形態の空調システム１０の動作を説明する。熱源機１１の台数およびポンプ１２の台数は、建物の規模などに応じて適宜に定めることができる。ここでは、空調システム１０が、熱源機１１とポンプ１２とを２台ずつ備える場合を例として説明する。また、２台の熱源機１１は同仕様であり、２台のポンプ１２は同仕様であると仮定する。
【００３８】
さらに、熱源機１１を安定に動作させるための最低流量が定格値の７０％であり、ポンプ１２の運転時の回転数は、定格値の０％を超え１００％以下の範囲で調節可能であると仮定する。また、以下では、対象空間を冷房する場合を例として説明する。対象空間を暖房する場合は、熱源機１１で熱媒体を冷却するのではなく加熱するように熱媒体の温度を調節する点が相違するが、冷房時か暖房時かによらず、基本的な動作は同じである。
【００３９】
２台の熱源機１１の入口と２台のポンプ１２の出口とは流路２１により相互に接続されている。したがって、２台のポンプ１２は、２台の熱源機１１のどちらにも熱媒体を送ることが可能である。また、２台のポンプ１２の入口は流路２３により相互に接続されている。そのため、２台のポンプ１２のどちらでも空調機１３から熱媒体を受け取ることが可能である。
【００４０】
熱源機１１の最低流量は、定格値の７０％であるから、熱源機１１を通る熱媒体の流量は７０％以上１００％以下の範囲でのみ変化させることが可能である。本実施形態の空調システム１０は、２台の熱源機１１を備えている。したがって、１台の熱源機１１が稼働する期間は、熱媒体の流量は定格値の７０％以上１００％以下の範囲で調節可能であり、２台の熱源機１１が稼働する期間は、熱媒体の流量は定格値の１４０％以上２００％以下の範囲で調節可能である。すなわち、２台の熱源機１１における熱媒体の合計の流量は、０％を超え７０％未満の範囲と、１００％を超え１４０％未満の範囲とでは調節することはできない。
【００４１】
ここで、１台のポンプ１２を定格値の回転数で稼働させたときにポンプ１２が吐き出す熱媒体の流量を１００％とする。２台のポンプ１２を同時に稼働させると、２台のポンプ１２が吐き出す熱媒体の合計の流量は０％を超え２００％以下の範囲で連続的に調節することが可能である。
【００４２】
また、ポンプ１２をインバータ１２１で制御する場合に、ポンプ１２の消費電力の比は、熱媒体の流量の比の３乗に比例することが知られている。たとえば、ポンプ１２の回転数が２分の１であれば、ポンプ１２が消費する電力は８分の１である。したがって、ポンプ１２が消費する電力は、１台のポンプ１２を単独で稼働させる場合と比べると、２台のポンプ１２を同時に稼働させることによって４分の１に低減される。
【００４３】
一例を挙げると、ポンプ１２が流路２１に吐き出す熱媒体の合計の流量を１００％とするとき、２台のポンプ１２はそれぞれ定格値の５０％の回転数で稼働すればよい。この場合、２台のポンプ１２が消費する電力の合計は、２５％（＝１２．５％＋１２．５％）である。言い換えると、ポンプ１２が流路２１に吐き出す熱媒体の流量が一定であるとき、１台のポンプ１２で熱媒体を流路２１に吐き出すよりも、２台のポンプ１２で熱媒体を流路２１に吐き出すほうが、消費する電力が低減するのである。
【００４４】
ところで、上述したように、２台の熱源機１１における熱媒体の合計の流量は、０％を超え７０％未満の範囲と、１００％を超え１４０％未満の範囲では調節することができない。そのため、ポンプ１２の回転数を調節する範囲は、熱源機１１における熱媒体の流量による制限を受ける。
【００４５】
以下では、説明を簡単にするために、熱源機１１を通過する熱媒体の流量が定格値であるときに、この流量の熱媒体を熱源機１１に送ることができるポンプ１２の回転数を１００％とする。すなわち、１台の熱源機１１における熱媒体の流量が８０％であるとき、２台のポンプ１２が流路２１に吐き出す熱媒体の合計の流量も８０％である。同様にして、熱源機１１の定格値の流量の熱媒体が空調機１３に供給される場合に、空調機１３に供給される熱媒体の流量を１００％とする。
【００４６】
１台の熱源機１１の最低流量は定格値の７０％であるから、１台の熱源機１１における熱媒体の流量は、定格値の７０％以上１００％以下に維持しなければならないという制約がある。つまり、１台の熱源機１１が稼働する期間にポンプ１２が流路２１に吐き出す熱媒体の流量は、７０％から１００％であり、２台の熱源機１１が稼働する期間にポンプ１２が流路２１に吐き出す熱媒体の流量は、１４０％から２００％である。したがって、空調機１３の熱負荷が、７０％から１００％の場合と、１４０％から２００％の場合とには、熱源機１１およびポンプ１２は、空調機１３に要求される熱負荷に一致するように稼働すればよい。
【００４７】
一方、空調機１３の熱負荷が、０％を超え７０％未満の場合と、１００％を超え１４０％未満である場合とでは、熱源機１１の最低流量の制約により、ポンプ１２が流路２１に吐き出す熱媒体の流量は、空調機１３に導入される熱媒体の流量と一致しない。ただし、熱源機１１を通過する熱媒体の流量と、ポンプ１２が流路２１に吐き出す熱媒体の流量とは一致している。そのため、空調機１３の熱負荷が、０％を超え７０％未満の場合と、１００％を超え１４０％未満である場合とにおいては、流量計１５が監視する熱媒体の流量が空調機１３の熱負荷に応じた流量になるように、バイパス弁１４の開度を調節する必要がある。本実施形態の制御装置３０は、このような条件を満足するように熱源機１１とポンプ１２とバイパス弁１４との動作を制御する。
【００４８】
空調機１３の熱負荷が０％を超え７０％未満である期間には、制御装置３０は、１台の熱源機１１と２台のポンプ１２とを運転することを決める。２台のポンプ１２が吐き出す合計の流量は７０％である。また、２台のポンプ１２が流路２１に吐き出す合計の流量は７０％であるから、２台のポンプ１２それぞれが流路２１に吐き出す熱媒体の流量は３５％ずつである。このとき、２台のポンプ１２が消費する電力の合計は、１台のポンプ１２で流量を１００％とした場合の電力（すなわち、定格電力）に対して約８．７６％である。つまり、１台のポンプ１２で流量を７０％とする場合の電力（３４．３％）に比べると消費する電力は約４分の１である。
【００４９】
空調機１３の熱負荷が１００％を超え１４０％未満である期間には、制御装置３０は、２台の熱源機１１と２台のポンプ１２とを運転する。このとき２台のポンプ１２が吐き出す合計の流量は１４０％であるから、制御装置３０は、空調機１３に導入される流量を低減させるようにバイパス弁１４の開度を調節する。また、２台のポンプ１２が流路２１に吐き出す合計の流量は１４０％であるから、２台のポンプ１２それぞれが流路２１に吐き出す熱媒体の流量は７０％ずつである。
【００５０】
ここで、本実施形態の比較例として、図３に示すように、流路２１が共通路２１３を備えず、２台の熱源機１１と２台のポンプ１２とが一対一に接続された構成を想定する。この構成において、空調機１３の熱負荷が０％を超え１００％以下である期間には、１台の熱源機１１と１台のポンプ１２とが稼働する。したがって、２台のポンプ１２が消費する合計の電力は、定格電力に対して７０％から１００％の範囲である。つまり、流路２１が共通路２１３を備える場合と比較すれば、２台のポンプ１２が消費する合計の電力は４倍である。
【００５１】
一方、空調機１３の熱負荷が１００％を超え２００％以下である期間には、２台のポンプ１２のそれぞれから流路２１に吐き出す熱媒体の流量は７０％から１００％の範囲で選択される。この動作では、流路２１に共通路２１３を設けているか否かによらず、２台のポンプ１２が消費する合計の電力は変わらない。
【００５２】
以上説明したように、本実施形態の構成によれば、空調機１３の熱負荷が０％を超え１００％以下未満である期間に、流路２１に共通路２１３を設けていない場合に比べて、２台のポンプ１２が消費する合計の電力が４分の１に低減する。
【００５３】
本実施形態の空調システム１０では、対象空間の空調を行う際に、空調機１３に供給する熱媒体の流量を、第２管理部３３２が、圧力計１６が計測する圧力差の値に換算する。空調機１３に供給する熱媒体の流量と、圧力計１６が計測する圧力差との関係は、空調システム１０の構成に応じて異なる。そのため、空調システム１０を建物に設置した後に、空調システム１０の試運転を行うことにより、空調機１３に供給する熱媒体の流量と、圧力計１６が計測する圧力との関係をあらかじめ求める。試運転時にはバイパス弁１４は閉じておく。
【００５４】
図４は試運転により求めた熱媒体の流量と圧力差との関係の例を示している。空調機１３に供給する熱媒体の流量は空調機１３の仕様によって制限される。図４に示す例では、空調機１３に供給する熱媒体の流量は、下限流量Ｑｉと上限流量Ｑｓとの間に制限されている。空調システム１０の試運転時には、制御装置３０は、下限流量Ｑｉと上限流量Ｑｓとの間の範囲内の流量と圧力計１６が計測する圧力差との関係を求める。求めた関係は、第２管理部３３２が記憶する。
【００５５】
空調システム１０を使用する際には、取得部３１が、流量計１５、圧力計１６、温度センサ１７、１８の計測値を取得する。計算部３２は、流量計１５が計測した熱媒体の流量と温度センサ１７、１８が計測した熱媒体の温度とを用いて対象空間が要求する熱負荷を見積もる。この熱負荷は第１管理部３３１に引き渡される。第１管理部３３１は、対象空間の熱負荷に応じて運転する熱源機１１の台数を決める。
【００５６】
第１管理部３３１は、対象空間の熱負荷に応じて運転する熱源機１１の台数を決めるために、図５に示すような関係のデータを保持している。図５において、横軸は空調機１３が単位時間当たりに必要とする熱量（熱負荷）を表し、縦軸は熱源機１１の台数を表している。このデータは、熱負荷が増加すれば、運転する熱源機１１の台数が増加するように定めてある。なお、本実施形態では、熱源機１１は２台であるが、図５では熱源機１１を４台まで選択可能である場合を例示している。
【００５７】
ここに、第１管理部３３１では、運転中の熱源機１１を停止させる熱負荷の閾値は、熱源機１１の運転を開始する熱負荷の閾値よりも小さい値に設定している。熱源機１１を停止させる熱負荷の閾値は、熱源機１１の運転を開始させる熱負荷の閾値に対して９０％程度である。したがって、第１管理部３３１は、運転する熱源機１１の台数を増加させた後は、熱源機１１の増加時よりも熱負荷が１０％程度低下しなければ、運転する熱源機１１の台数を減少させない。この処理により、運転する熱源機１１の台数が短時間で増加と減少とを繰り返すハンチングが抑制される。
【００５８】
第１管理部３３１は、運転する熱源機１１の台数を決めるだけではなく、複数台の熱源機１１のうちの一部の熱源機１１のみを運転する場合には、どの熱源機１１を運転するかを決める。第１管理部３３１が運転する熱源機１１を決めると、第２管理部３３２は、稼働させるポンプ１２を決める。この動作については、実施形態２において説明する。
【００５９】
ところで、計算部３２は、流量計１５の計測値から空調機１３に供給された熱媒体の流量を求め、求めた流量を圧力計１６が計測している箇所の圧力差に換算する。計算部３２が求めた圧力差は、対象空間の熱負荷に応じた圧力差の目標値になる。圧力差の目標値は第２管理部３３２に引き渡される。第２管理部３３２は、圧力計１６が計測する圧力差が目標値に維持されるように以下の制御を行う。
【００６０】
すなわち、第２管理部３３２は、圧力計１６が計測した圧力差と、流量計１５の計測値から求めた目標値との偏差を求める。そして、第２管理部３３２は、この偏差を小さくするようにインバータ１２１の周波数を決める。本実施形態の第２管理部３３２は、偏差に対する操作量としてのインバータ１２１の周波数を、ＰＩＤ演算（ＰＩＤ：Proportional-Integral-Derivative）により決定している。ただし、偏差に対する周波数の決定には、ＰＩＤ演算ではなく、ＰＤ演算などの他の演算方法を用いてもよい。
【００６１】
一方、上述したように、ポンプ１２の回転数には、熱源機１１の最低流量による制限があるから、第２管理部３３２は、ＰＩＤ演算により求めたインバータ１２１の周波数と、熱源機１１の最低流量の制約で決まるインバータ１２１の周波数とを比較する。ポンプ１２の回転数はインバータ１２１の周波数に比例しており、インバータ１２１の周波数が高いほどポンプ１２の回転数が大きくなる。そのため、第２管理部３３２は、ＰＩＤ演算により求めたインバータ１２１の周波数と、熱源機１１の最低流量の制約で決まるインバータ１２１の周波数とのうち、高いほうの周波数を選択する。第２管理部３３２が選択した周波数は、第２出力部３４２を通してインバータ１２１に指示される。
【００６２】
第２管理部３３２は、対象空間の熱負荷が小さくなると、インバータ１２１の周波数を下げることによりポンプ１２の回転数を低下させ、空調機１３に供給する熱媒体の流量を低減させる。一方、ポンプ１２の回転数を決めるインバータ１２１の周波数には、熱源機１１の最低流量で決まる下限値がある。したがって、対象空間の熱負荷に応じたポンプ１２の回転数は、図６に破線で示すように変化する。
【００６３】
図６の横軸は圧力計１６が監視する圧力であり、縦軸はインバータ１２１の周波数とバイパス弁１４の開度である。圧力計１６が監視する圧力が、定めた分岐点ＳＰより大きい範囲ではポンプ１２の回転数によって圧力に対応する調節が可能であるが、分岐点ＳＰよりも小さい範囲ではポンプ１２の回転数では対応することができない。そこで、圧力が分岐点ＳＰよりも小さい範囲に対応するために、制御装置３０はバイパス弁１４の開度を調節する。バイパス弁１４の開度は、対象空間の圧力計１６が監視する圧力に応じて第３管理部３３３が決定する。すなわち、圧力が分岐点ＳＰよりも小さい範囲では、図６に実線で示すように、第３管理部３３３は、圧力が大きいほどバイパス弁１４の開度を大きくする。また、圧力が分岐点ＳＰよりも小さい範囲では、第２管理部３３２は、ポンプ１２の回転数を一定に保つ。
【００６４】
図６に示すように、制御装置３０は、ポンプ１２の回転数を制御する動作と、バイパス弁１４の開度を制御する動作とを併用するから、圧力の変化に対して広範囲にわたって対応することが可能になる。
【００６５】
建物についてシミュレーションが可能な程度のデータがある場合には、試運転に代えてシミュレーションを行うことにより、空調機１３に供給する熱媒体の流量と圧力差との関係を求めてもよい。あるいは、空調機１３に供給する熱媒体の流量と圧力差との関係は、他の建物のデータの流用あるいは他の建物のデータからの推算によって求めてもよい。
【００６６】
（実施形態２）
実施形態１では、２台の熱源機１１と２台のポンプ１２とを備える空調システム１０を例示したが、熱源機１１およびポンプ１２の台数は、２台に限らず、また熱源機１１とポンプ１２との台数が異なる場合もある。実施形態１で説明したように、ポンプ１２は熱源機１１より１台多く設ける場合が多い。本実施形態では、空調システム１０が、Ｎ台の熱源機１１とＭ台のポンプ１２とを備える例を説明する。ここに、Ｍ≧Ｎである。
【００６７】
実施形態１の動作から明らかなように、稼働する熱源機１１の台数よりも多くの台数のポンプ１２を稼働させると、熱源機１１とポンプ１２とが一対一に接続されている場合よりも、ポンプ１２が消費する合計の電力を低減させることが可能である。ただし、一般的に、ポンプ１２の回転数には下限があり、たとえばポンプ１２の回転数の定格値を１００％とするときに、回転数の下限値は、たとえば２５％である。ポンプ１２の回転数はインバータ１２１を用いて制御しているから、インバータ１２１の制御範囲の下限がポンプ１２の回転数の下限を決めている。
【００６８】
ここで、熱源機１１における流量の下限値をａ％、ポンプ１２の回転数の下限値をｂ％とし、稼働する熱源機１１の台数をｎ台、稼働するポンプ１２の台数をｍ台とすると、ｎａ≧ｍｂかつｍ≧ｎの関係が成立しなければならない。ｎａ≧ｍｂかつｍ≧ｎの制限内でｍを求めると、空調システム１０を構成するポンプ１２の台数の目安が得られる。ｍが大きいほどポンプ１２が消費する合計の電力は低減されるが、空調システム１０を構成するポンプ１２の台数としてｍの最大値を用いると、ポンプ１２に要する設備コストが増加する。したがって、ポンプ１２の台数は、上述した関係が成立する範囲で、設備コストおよび消費する電力を適正化するように適宜に定められる。
【００６９】
たとえば、熱源機１１における流量の下限値ａを７０％、ポンプ１２の回転数の下限値ｂを２５％、熱源機１１の台数ｎを３台とする。この場合、ポンプ１２の台数ｍは、３、４、５、６、７、８から選択されるが、設備コストを考慮すれば、たとえば５台程度が望ましい値として選択される。
【００７０】
対象空間の熱負荷に応じて運転する熱源機１１の台数を決める技術は、実施形態１と同様であり、流量計１５および温度センサ１７、１８の計測値に基づいて求めた熱負荷に基づいて、第１管理部３３１が熱源機１１を決める。また、第１管理部３３１が運転する熱源機１１を決めると、第２管理部３３２が稼働させるポンプ１２を決める。
【００７１】
いま、空調システム１０が、図７に示すように、３台の熱源機１１と５台のポンプ１２とを備える場合を想定する。この構成では、制御装置３０は、空調機１３の熱負荷に応じて、１台の熱源機１１を運転させるか、２台の熱源機１１を運転させるか、３台の熱源機１１を運転させるかを決める。また、制御装置３０は、２台の熱源機１１が稼働する場合と、３台の熱源機１１が稼働する場合とでは、５台のポンプ１２を運転させることによって、ポンプ１２が消費する電力を低減させる。実施形態１と同様に、３台の熱源機１１の仕様は互いに等しく、５台のポンプ１２の仕様は互いに等しいと仮定する。
【００７２】
１台の熱源機１１だけが運転する場合に、上述した例のように、熱源機１１における流量の下限値が７０％、かつポンプ１２の回転数の下限値が２５％であるという制限があるとすると、３台以上のポンプ１２を同時に稼働させることはできない。つまり、１台の熱源機１１だけが運転する場合は、２台のポンプ１２が同時に稼働する。ここで、熱源機１１における流量が７０％以上かつ７５％未満の範囲では２台のポンプ１２を稼働させ、熱源機１１における流量が７５％以上になると３台のポンプ１２を稼働させることが考えられるが、稼働させるポンプ１２を選択する条件がやや複雑である。したがって、１台の熱源機１１だけが運転する場合は、２台のポンプ１２が稼働するという動作を採用することが望ましい。
【００７３】
さらに、空調機１３の熱負荷を１台の熱源機１１で充足可能であるという状況が複数回生じたときに、この状況が生じるたびに同じ熱源機１１が使用されると、個々の熱源機１１の運転時間のばらつきが大きくなる。そのため、制御装置３０は、個々の熱源機１１の運転時間を管理し、熱源機１１ごとの運転時間の積算値の差が小さくするように運転する熱源機１１を選択する。
【００７４】
同様に、空調機１３の熱負荷を２台の熱源機１１で充足可能であるという状況では、３台の熱源機１１から２台の熱源機１１が選択される。この場合も、制御装置３０は、１台の熱源機１１を選択する場合と同様に、熱源機１１ごとの運転時間の積算値の差が小さくなるように、２台の熱源機１１を選択する。すなわち、３台の熱源機１１から２台の熱源機１１を選択する場合、第１管理部３３１は、１台ずつの熱源機１１について管理した運転時間を用い、運転時間の積算値が最小である熱源機１１を除いた２台の熱源機１１を選択する。
【００７５】
ところで、図７に示すように、共通路２１３が、個別路２１１および個別路２１２に対してほぼ直交する方向に交差している場合、個々の熱源機１１と個々のポンプ１２との距離に相違が生じる。いま、図７において、熱源機１１を上から順にＡ熱源、Ｂ熱源、Ｃ熱源と呼び、ポンプ１２を上から順にａポンプ、ｂポンプ、ｃポンプ、ｄポンプ、ｅポンプと呼ぶことにする。この場合、Ａ熱源とａポンプとの距離に比べると、Ａ熱源とｅポンプとの距離は大幅に大きくなる。熱源機１１からポンプ１２までの距離が大きくなるほど、熱源機１１で温度が調節された熱媒体がポンプ１２に導入されるまでの時間が長くなる。すなわち、熱源機１１で温度が調節された熱媒体が、ポンプ１２の起動時点から流路２１に吐き出されるまでの時間は、熱源機１１からポンプ１２までの距離が大きいほど長くなる。
【００７６】
そのため、１台の熱源機１１を運転させ２台のポンプ１２を稼働させる場合は、運転させる熱源機１１からの距離が小さいほうから２台のポンプ１２を選択する。３台の熱源機１１それぞれと５台のポンプ１２それぞれとの距離は既知であるから、個々の熱源機１１の運転時に稼働させる２台のポンプ１２との対応関係は、あらかじめ第２管理部３３２に格納される。
【００７７】
ところで、流路２１が図７のように構成されている場合、熱源機１１との距離が２番目に小さいポンプ１２と、熱源機１１との距離が３番目に小さいポンプ１２とは、ほとんどの場合、熱源機１１との間の距離に実質的な差異がない。そのため、制御装置３０は、１台の熱源機１１に対して２台のポンプ１２を対応付ける場合、熱源機１１との距離が、１番小さいポンプ１２と、２番目に小さいポンプ１２と、３番目に小さいポンプ１２との３台のポンプから２台のポンプ１２を選択する。この場合、１台の熱源機１１に対して稼働させる２台のポンプ１２を決めるために、３台のポンプ１２から２台のポンプ１２を選択することになる。３台のポンプ１２から２台のポンプ１２を選択する場合、２台のポンプ１２の組み合わせは３通りである。
【００７８】
５台のポンプ１２の稼働時間を平準化するには、ポンプ１２の稼働時間だけではなく、熱源機１１の運転時間の平準化も必要である。熱源機１１の運転時間を平準化するには、たとえば、熱源機１１の運転時間を積算し、熱源機１１を１台だけ運転させる場合に、積算された運転時間が最短の熱源機１１を用いる。
【００７９】
ポンプ１２については、３台の熱源機１１それぞれに対して、２台のポンプ１２の組み合わせを３通りずつ求めておく。また、５台のポンプ１２それぞれの稼働時間を積算し、運転する熱源機１１が決まれば、該当する熱源機１１に対して選択可能なポンプ１２の３通りの組み合わせから１つの組み合わせを選択する。たとえば、稼働時間の積算値が最短のポンプ１２と、稼働時間の積算値が２番目に短いポンプ１２とが含まれる組み合わせが選択される。
【００８０】
一例を挙げると、運転させる熱源機１１がＡ熱源である場合、ａポンプとｂポンプとｃポンプとの３台のポンプ１２が選択可能である。そして、３台のポンプ１２から２台のポンプ１２を選択する組み合わせには、ａポンプとｂポンプ、ｂポンプとｃポンプ、ａポンプとｃポンプの３通りの組み合わせが考えられる。仮に、ポンプ１２の稼働時間の積算値が、ａポンプでは１１００時間、ｂポンプでは９００時間、ｃポンプでは１０００時間であったとする。この場合、ｂポンプとｃポンプとの組み合わせが選択される。
【００８１】
１台の熱源機１１だけが運転する場合について、３台の熱源機１１それぞれに５台のポンプ１２を対応付けた組み合わせの例を表１に示す。表１の例は、熱源機１１とポンプ１２とは、互いの距離が比較的小さくなるように対応付けている。表１にはポンプ１２の組み合わせにＰ１、Ｐ２、Ｐ３の符号を付して区別している。
【００８２】
表１に示すような熱源機１１とポンプ１２との関係は、第２管理部３３２が記憶する。表１ではデータテーブルの形式で表現しているが、熱源機１１とポンプ１２とを対応付ける形式に、とくに制限はない。
【００８３】
【表１】
2017053507.tif 000003
【００８４】
２台の熱源機１１が同時に運転する場合と、３台の熱源機１１が同時に運転する場合については、上述したように、５台のポンプ１２が稼働するから、表２のように熱源機１１とポンプ１２とが対応付けられる。２台の熱源機１１を運転する場合、熱源機１１の運転時間が平準化されるように、運転時間の積算値を用いて運転する熱源機１１を選択することが望ましい。
【００８５】
本実施形態では、熱源機１１は、Ａ熱源、Ｂ熱源、Ｃ熱源の３台であるから、２台の熱源機１１を運転する場合の組み合わせは、Ａ熱源とＢ熱源、Ｂ熱源とＣ熱源、Ａ熱源とＣ熱源との３通りである。２台の熱源機１１を運転する場合には、このような３通りの組み合わせから１つの組み合わせを選択する。たとえば、熱源機１１それぞれの運転時間を積算しておき、運転時間の積算値が最短の熱源機１１と、２番目に短い熱源機１１との組み合わせを選択すればよい。
【００８６】
【表２】
2017053507.tif 000004
【００８７】
表１、表２の動作例は一例であって、熱源機１１の容量、ポンプ１２の容量、空調機１３の熱負荷などに応じて、適宜に変更することが可能である。また、表１には、２台のポンプ１２を選択する組み合わせを、３台の熱源機１１それぞれに対して３通りずつ示しているが、２通りの組み合わせであっても、稼働時間の平準化を行うことは可能である。１台の熱源機１１に対する２台のポンプ１２の組み合わせが２通りである場合、たとえば、表１のＰ１とＰ３とを採用すればよい。
【００８８】
第２管理部３３２は、稼働させるポンプ１２を決めるだけではなく、第１管理部３３１が求めた熱負荷に応じてポンプ１２の回転数も決める。運転させる熱源機１１と稼働させるポンプ１２との組み合わせが適正に定めてあれば、ポンプ１２の回転数の下限値は、熱源機１１を安定に動作させるための最低流量で制限される。一方、対象空間の熱負荷に応じて要求される熱媒体の流量が、熱源機１１の最低流量を超える場合、制御装置３０は、ポンプ１２の回転数を増加させるようにインバータ１２１の周波数を決める。
【００８９】
上述した動作から明らかなように、複数台のポンプ１２のいずれかは停止していることがあり、また停止していない場合でも、定格値の回転数に対して５０％以下で稼働している。このように、ポンプ１２の能力には余剰があるから、複数台のポンプ１２のいずれかが故障あるいは保守のために停止している期間であっても、他のポンプ１２を稼働させるか、稼働しているポンプ１２の回転数を高めることが可能である。したがって、故障あるいは保守のために一部のポンプ１２が停止する場合でも、空調システム１０の運転を継続することが可能である。
【００９０】
なお、本実施形態において、熱源機１１の台数およびポンプ１２の台数を除く構成は、実施形態１と同様であり、本実施形態で説明した制御装置３０の構成および動作は実施形態においても適用可能である。また、他の構成および動作は実施形態１と同様であるから説明を省略する。
【００９１】
以上説明したように本実施形態の空調システム１０は、熱源機１１と空調機１３と複数台のポンプ１２と制御装置３０とを備える。熱源機１１は、熱媒体の温度を調節し、空調機１３は熱媒体が供給され対象空間の空調を行う。ポンプ１２は、空調機１３に熱媒体を供給する。制御装置３０は、対象空間の熱負荷に応じて、複数台のポンプ１２から選択したポンプ１２の回転数をインバータにより調節する。熱媒体が通る流路２１、２２、２３のうち熱源機１１と複数台のポンプ１２との間の流路２１は、複数台のポンプ１２が共用する共通路２１３を備える。制御装置３０は、複数台のポンプ１２から選択した２台以上を同じ回転数で稼働させる。
【００９２】
すなわち、複数台のポンプ１２と熱源機１１との間の流路２１が、複数台のポンプ１２が共用する共通路２１３を備え、かつ複数台のポンプ１２から選択した２台以上のポンプ１２を同じ回転数で稼働させる。同流量の熱媒体を熱源機１１に通すという制約の下で、１台のポンプ１２だけが稼働する場合と、２台以上のポンプ１２が稼働する場合とを比較すると、２台以上のポンプ１２が稼働する場合のほうが消費するエネルギーが低減され、省エネルギーにつながる。
【００９３】
また、本実施形態の空調システム１０に用いる制御装置３０は、複数台のポンプ１２のうち稼働させるポンプ１２を決める第１管理部３３１と、複数台のポンプ１２の回転数を決める第２管理部３３２とを備える。
【００９４】
本実施形態のプログラムは、コンピュータを、空調システム１０に用いる制御装置３０として機能させるためのものである。
【００９５】
熱源機１１は、熱媒体を通す流量に最低流量が決まっている。この場合、制御装置３０は、対象空間の熱負荷に応じて決まる熱媒体の流量と、熱源機１１の流量の下限値とのうちの大きいほうの流量を選択する。さらに、制御装置３０は、複数台のポンプ１２が供給する熱媒体の合計の流量が、選択した流量となるように、複数台のポンプ１２の回転数を調整する。
【００９６】
また、空調システム１０は、空調機１３に供給される熱媒体の圧力と空調機１３から排出される熱媒体の圧力との圧力差を計測する圧力計１６を備えることが望ましい。この場合、制御装置３０は、圧力計１６が計測した圧力差と対象空間の熱負荷に基づいて定まる目標値との偏差を小さくするように、ポンプ１２の回転数を調節する。
【００９７】
さらに、空調システム１０は、空調機１３を通る熱媒体の流量を計測する流量計１５を備えることが望ましい。この場合、制御装置３０は、流量計１５が計測した熱媒体の流量から目標値を求める機能を有することが望ましい。
【００９８】
この構成によれば、流量の増加および減少を流量計１５で監視することが可能であり、対象空間の熱負荷が減少して流量が減少すれば、目標値を下げることによって、ポンプ１２の回転数を減らすことが可能になる。
【００９９】
空調システム１０は、熱源機１１が複数台あってもよい。この場合、制御装置３０は、対象空間の熱負荷の変化により運転させる熱源機１１の台数を変更する際に、変更後の熱源機１１の台数に基づいて最低流量の合計を求める。また、制御装置３０は、複数台のポンプ１２から選択したポンプ１２の回転数を最低流量の合計に応じて決める機能を有することが望ましい。
【０１００】
この構成によれば、熱源機１１の台数を変更する際に、ポンプ１２を選択し、かつ選択したポンプ１２の回転数を決めることができる。ポンプ１２の選択は、変更後の熱源機１１に応じて行うことが可能であり、熱源機１１の最低流量の合計を確保できるように、ポンプ１２の回転数を決めることが可能になる。つまり、熱源機１１の台数を変更する際には、前もって熱源機１１に対する最小流量を確保できるように、ポンプ１２の回転数を決めることが可能である。
【０１０１】
なお、上述した実施形態は本発明の一例である。このため、本発明は、上述の実施形態に限定されることはなく、この実施形態以外であっても、本発明に係る技術的思想を逸脱しない範囲であれば、設計等に応じて種々の変更が可能であることはもちろんのことである。
【符号の説明】
【０１０２】
１０  空調システム
１１  熱源機
１２  ポンプ
１３  空調機
１５  流量計
１６  圧力計
２１、２２、２３  流路
３０  制御装置
２１３  共通路
３３１  第１管理部
３３２  第２管理部
【図１】
2017053507.tif 000005
【図２】
2017053507.tif 000006
【図３】
2017053507.tif 000007
【図４】
2017053507.tif 000008
【図５】
2017053507.tif 000009
【図６】
2017053507.tif 000010
【図７】
2017053507.tif 000011